(57)【特許請求の範囲】
【請求項１】
コアの外周に間隔を開けて配置された第１のアンテナコイルと、当該第１のアンテナコイルの内部空間に配置された前記コアに巻回されたリンクコイルとを有する第１アンテナと、
前記コアに巻回された状態で前記リンクコイルと電磁結合された第２のアンテナコイルを有する第２アンテナと、
前記コアに対し前記第２のアンテナコイル及びリンクコイルの軸線から外れた位置にて巻回されることにより、前記第２のアンテナコイル及びリンクコイルと電磁結合された第３のアンテナコイルを有する第３アンテナと
を備え、前記３つのアンテナのうちの１つに発信源又は受信源が接続され、
前記３つのアンテナコイルは、その巻回方向が互いに略直交又は異なる向きに配置されていることを特徴とするループアンテナ装置。
【請求項２】
前記第１のアンテナコイルは前記コアの外形と相似形状であり、前記第１アンテナに前記発信源又は受信源が接続されていることを特徴とする請求項１に記載のループアンテナ装置。
【発明の詳細な説明】
【０００１】
【発明の属する技術分野】
本発明は、異なる３軸方向の磁界成分を送受信できるループアンテナ装置に関するものである。
【０００２】
【従来の技術】
従来、この種のアンテナ装置として、２つのアンテナを用いて異なる２方向に指向性をもつループアンテナ装置が採用されている。例えば、このループアンテナ装置には、独国特許公開公報  ＤＥ  ４１０５８２６に開示された図１１に示すようなものがある。
【０００３】
同図に示すように、ループアンテナ装置５１は、フェライトロッド５２に巻回されたコイル５３とそのコイル５３に並列接続された共振容量Ｃ２とによって並列共振回路が形成された第１アンテナ５４と、フェライトロッド５２の外側に設けられた円形コイル５５とその円形コイル５５に並列接続された共振容量Ｃ１とによって並列共振回路が形成された第２アンテナ５６とを備えている。第１アンテナ５４のコイル５３には電源（発信源）Ｓが接続されている。第１アンテナ５４は第２アンテナ５６に対して径方向に所定角度θだけ傾けて配置され、両アンテナ５４，５６は磁気的に結合した状態となっている。電源Ｓが発振すると、コイル５３はｙ軸方向の磁界成分Ｈｙを発生し、円形コイル５５はｚ軸方向の磁界成分Ｈｚを発生し、この磁界成分ＨｙとＨｚは互いに直交した軸成分となる。
【０００４】
【発明が解決しようとする課題】
例えば、このループアンテナ装置５１をキーレスエントリー装置の一部品として使用する場合、ループアンテナ装置５１は送受信する磁界成分が２軸であるもののまだ指向性が強く、例えば発信された電波が角度（方向）によって検出し難いところがあるという問題があった。
【０００５】
本発明は前記の問題点に鑑みてなされたものであって、その目的は、比較的簡単な構成で、しかもさほど大型化することなく、送受信する磁界成分を３軸方向とすることによってアンテナ特性を向上できるループアンテナ装置を提供することにある。
【０００６】
【課題を解決するための手段】
前記の目的を達成するため請求項１に記載の発明では、コアの外周に間隔を開けて配置された第１のアンテナコイルと、当該第１のアンテナコイルの内部空間に配置された前記コアに巻回されたリンクコイルとを有する第１アンテナと、前記コアに巻回された状態で前記リンクコイルと電磁結合された第２のアンテナコイルを有する第２アンテナと、前記コアに対し前記第２のアンテナコイル及びリンクコイルの軸線から外れた位置にて巻回されることにより、前記第２のアンテナコイル及びリンクコイルと電磁結合された第３のアンテナコイルを有する第３アンテナとを備え、前記３つのアンテナのうちの１つに発信源又は受信源が接続され、前記３つのアンテナコイルは、その巻回方向が互いに略直交又は異なる向きに配置されていることを要旨とする。
【０００７】
この発明によれば、例えばループアンテナ装置を発信用に使用する場合、３つのアンテナコイルを用いて互いに異なる３軸方向の磁界成分が放射される。その結果、３軸方向の磁界成分を持つ電波が発信され、受信側で受信される電波の強度が著しく弱まる角度（方向）がなくなり、若しくは減り、ループアンテナ装置のアンテナ特性が向上する。
【０００９】
また、第３のアンテナコイルを第２のアンテナコイル及びリンクコイルの軸線から外れた位置に巻回することによって、第３アンテナ（第３のアンテナコイル）はリンクコイルを用いなくても第１及び第２アンテナに対して電磁結合される。
【００１４】
請求項２に記載の発明では、請求項１に記載の発明において、前記第１のアンテナコイルは前記コアの外形と相似形状であり、前記第１アンテナに前記発信源又は受信源が接続されていることを要旨とする。
【００１５】
この発明によれば、請求項１に記載の発明の作用に加え、例えばループアンテナ装置をドア等の立設された被組付面に組付ける場合、その被組付面に対して直交する向きの磁界成分を相対的に強くしたいので、ループアンテナ装置は発信源又は受信源に接続された第１のアンテナコイルのループ面と被組付面とが略平行する向きに配置される。従って、第１のアンテナコイルがコアの外形と相似形であることからコンパクトなループアンテナ装置になり、しかも、この向きでループアンテナ装置を組付けるため組付部の薄型化が図られる。
【００１６】
【発明の実施の形態】
（第１実施形態）
以下、本発明を車両に搭載されるループアンテナ装置に具体化した第１実施形態を図１〜図３に従って説明する。本例のループアンテナ装置はキーレスエントリー装置用の送信用アンテナで、特にキー保持者が車両に近づいただけでドアロックが解錠されるスマートエントリー装置に採用され、例えば車両（自動車等）のドアハンドル内部などに配設される。
【００１７】
図１及び図２に示すように、ループアンテナ装置１は、第１アンテナＡＮＴ１、第２アンテナＡＮＴ２及び第３アンテナＡＮＴ３を備えている。第１アンテナＡＮＴ１は、コアとしての直方体形状のフェライトコア（フェライトバー）２に対しその外周に配置された第１のアンテナコイル（以下、単に第１コイルと称す）３と、その第１コイル３の一端がフェライトコア２に所定巻数（例えば、３〜５ターン）だけ巻回されたリンクコイル４とを有している。そのため、フェライトコア２は第１アンテナＡＮＴ１の第１コイル３が作る内部空間中央に配置された状態となる。また、第１アンテナＡＮＴ１はフェライトコア２の外形（直方体）と相似形状の直方形環状を有し、両者間の隙間を狭くすることで小型化が図られている。第１コイル３とリンクコイル４とは、その巻回方向が互いに直交している。
【００１８】
第１コイル３は、例えばＡＢＳ樹脂やポリカーボネイド等の樹脂を材質に使用したボビン５（図２（ａ）参照）に巻回されている（但し、図１ではボビン５は省略されている）。フェライトコア２はアンテナ効率を良くするために、マンガンジンクやニッケルジンク等の材質を使用している。また、フェライトコア２の形状は円筒形状でもよい。
【００１９】
第２アンテナＡＮＴ２は、第１アンテナＡＮＴ１のリンクコイル４の巻回方向と同じ方向にフェライトコア２に巻かれた第２のアンテナコイル（以下、単に第２コイルと称す）６を有している。
【００２０】
第３アンテナＡＮＴ３は、第１コイル３と第２コイル６の巻回方向の両方に対して直交する向きにフェライトコア２の表面に直接巻回された第３のアンテナコイル（以下、単に第３コイルと称す）７を有している。従って、第１コイル３、第２コイル６、第３コイル７の巻回方向は、互いに直交する向きとなる。この第３コイル７には銅箔リボン８が使用され、この銅箔リボン８はフェライトコア２の表面に直接貼り付けられるとともに、フェライトコア２の軸心に対して上下方向にずれた位置（本例では上方にずれた位置）に配置されている。即ち、第３コイル７は第２コイル６と直交するものの、第２コイル６の中心線（軸心）から外れた位置でループを形成するため第２コイル６と電磁結合される。なお、第３コイル７には、この銅箔リボン８に代えて線状のコイルを使用してもよい。
【００２１】
図２（ａ）は各コイルの巻き方の説明図であり、（ｂ）はループアンテナ装置の等価回路である。図２（ｂ）において、Ｌ１１，Ｌ１２，Ｌ２，Ｌ３は、コイル３，４，６，７のインダクタンスを示している。
【００２２】
図２（ａ）に示すように、第１コイル３の端子ｐとリンクコイル４の端子ｑとの間には、共振容量（コンデンサ）Ｃ１と電源（発振器）ＯＳが直列接続されている。また、第２コイル６の端子ｒ，ｒ間には、共振容量（コンデンサ）Ｃ２が接続されている。従って、第１アンテナＡＮＴ１は第１コイル３、リンクコイル４及び共振容量Ｃ１とが直列接続されて直列共振回路を形成している。また、第２アンテナＡＮＴ２は第２コイル６と共振容量Ｃ２が並列接続されて並列共振回路を形成している。
【００２３】
共振容量Ｃ１は使用周波数ｆで直列共振する値に設定され、共振容量Ｃ２も使用周波数ｆで並列共振する値に設定されている。また、第１コイル３と第２コイル６の結合度は、リンクコイル４の巻数で自由に設定可能である。さらに、第３コイル７と第１コイル３及び第２コイル６との結合度は、第３コイル７（銅箔リボン８）のフェライトコア２に対する巻き位置とそのインダクタンスＬ３によって設定される。この結合度によって、第３アンテナＡＮＴ３が放射する磁界成分の強さ（出力）が決定される。
【００２４】
次に、前記のように構成されたループアンテナ装置１の作用について説明する。
第１アンテナＡＮＴ１の電源ＯＳが発振されることで、第１コイル３によってｙ軸方向に磁界が形成されるとともに、リンクコイル４が励振されて第２コイル６に電流が流れる。また、第２コイル６と電磁結合された第３コイル７にも電流が流れる。よって、図１に示すように、発振時には第２アンテナＡＮＴ２の第２コイル６とリンクコイル４によってｘ軸方向の磁界Ｈｘが放射され、第１アンテナＡＮＴ１の第１コイル３によってｙ軸方向の磁界Ｈｙが放射され、第３アンテナＡＮＴ３の第３コイル７によってｚ軸方向の磁界Ｈｚが放射される。従って、ループアンテナ装置１から発生する磁界成分は、Ｈｘ，Ｈｙ，Ｈｚ方向の異なる３軸成分となる。
【００２５】
図３は、図１のｘ−ｙ平面上の電界成分の放射指向性を示したグラフである。同図において、横軸は図１におけるｙ軸方向を０度としたときのループアンテナ装置１から発信された電波の検出方向を示す角度θ（deg.）、縦軸はその角度θにおける電界強度（dBμV/m ）である。電界強度の値が大きいほどアンテナ特性の高い装置として使用でき、特に電界強度の平均値が高いことが望ましい。この図では、白丸を結んだ実線が磁界成分を２軸のみ有する従来のループアンテナ装置であり、黒丸を結んだ実線が３軸対応のループアンテナ装置である。同図に示すように、本例の３軸対応のループアンテナ装置１を使用することによって、−４５〜１５度付近の電界強度が大幅に向上しており、さらに電界強度全体の平均値も増加している。従って、このループアンテナ装置１をキーレスエントリー装置に使用する場合、アンテナ特性の高い装置とすることが可能となる。
【００２６】
従って、この実施形態では以下のような効果を得ることができる。
（１）ループアンテナ装置１は、３つのアンテナコイル３，６，７を用いて３軸方向の磁界成分を放射することができる。その結果、このループアンテナ装置１を例えばキーレスエントリー装置等に使用する場合、アンテナ特性の良い装置とすることができる。
【００２７】
（２）第３コイル７をフェライトコア２上において第２コイル６の軸心に対してずらした位置に配置することによって第２コイル６と電磁結合させたので、第２コイル６と第３コイル７との電磁結合にリンクコイル構造を用いなくて済む。
【００２８】
（３）３つのアンテナＡＮＴ１〜ＡＮＴ３を備えた３軸対応のループアンテナ装置としても、第１コイル３をフェライトコア２の外形と相似形状としたので、ループアンテナ装置１を小型（コンパクト）にできる。さらに、第１コイル３に電源ＯＳが接続されたループアンテナ装置を、キーレスエントリー装置等に使用するために例えば自動車のドア等に組付ける場合、第１コイル３のループ面がドアの内壁等の被組付面（略鉛直面）に略平行するように組付けるので、比較的強い磁界成分を放射する状態で、その組付部を薄型にできる。
【００２９】
（第２実施形態）
次に、第２実施形態を図４〜図６に従って説明する。本実施形態では、互いに異なる３軸方向の磁界を放射させるために３つのアンテナコイルを用いるのではなく、２つのアンテナコイルを用いただけとした点が前記第１実施形態と異なっている。なお、前記第１実施形態と同一構成部分は同一符号を付して、詳しい説明は省略する。
【００３０】
図４に示すように、ループアンテナ装置１は、第１アンテナＡＮＴ１と第２アンテナＡＮＴ２を備えている。第１アンテナＡＮＴ１は、直方体形状のフェライトコア２の外側に配置された第１コイル３と、その第１コイル３の一端がフェライトコア２に所定巻数だけ巻回されたリンクコイル４とを有している。また、第２アンテナＡＮＴ２は、リンクコイル４と同じ巻回方向にフェライトコア２に巻回された第２コイル６を有している。
【００３１】
第１コイル３は、その巻線が図１に示すｘ−ｙ平面とｘ−ｚ平面の２平面を通るように屈曲した経路でループを形成している。即ち、第１コイル３はｙ軸方向とｚ軸方向の両方の視方向で共に閉ループを描くように３次元的に巻かれた状態となる。
【００３２】
図５（ａ）は各コイルの巻き方の説明図であり、（ｂ）はループアンテナ装置の等価回路である。図５（ｂ）において、Ｌ１１，Ｌ１２，Ｌ２は、コイル３，４，６のインダクタンスを示している。
【００３３】
図５（ａ）に示すように、第１アンテナＡＮＴ１は、第１コイル３、共振容量Ｃ１、電源ＯＳによって直列共振回路を形成している。また、第２アンテナＡＮＴ２は、第２コイル６、共振容量Ｃ２によって並列共振回路を形成している。共振容量Ｃ１は使用周波数ｆで直列共振する値に設定され、共振容量Ｃ２も使用周波数ｆで並列共振する値に設定される。また、第１コイル３と第２コイル６の結合度は、リンクコイル４の巻数で自由に設定可能である。
【００３４】
第１コイル３を３次元的に巻くために図５（ａ）に示すボビン１２を使用している。ボビン１２は、フェライトコア２を内部空間中央に配置できるサイズで、しかもフェライトコア２の外形と相似形状のリング状である。ボビン１２は、その外周に巻線を巻くための案内溝１３と、ボビン１２の長手方向に対し図４のｙ軸方向に屈曲する向きに巻線を案内するための一対の案内溝１４と、両案内溝１４間に巻かれる巻線をガイドするための案内部１５とを有している。第１コイル３は、ボビン１２の案内溝１３に半周に亘って巻回されるとともに、一対の案内溝１４に沿って図４に示すｙ方向に屈曲して延びた後、一対の案内溝１４間に亘って延びるように巻回されたループ形状をとっている。
【００３５】
次に、本実施形態のループアンテナ装置１の作用について説明する。
第１アンテナＡＮＴ１の電源ＯＳが発振されることによって第１コイル３に電流が流れ、リンクコイル４を介して第２コイル６が励振されて第２コイル６に電流が流れる。よって、図４に示すように、発振時には第２アンテナＡＮＴ２の第２コイル６によってｘ軸方向の磁界Ｈｘが放射され、第１アンテナＡＮＴ１の第１コイル３によって、そのｙ軸方向視の閉ループによりｙ軸方向の磁界Ｈｙが放射されるとともに、そのｚ軸方向視の閉ループによってｚ軸方向の磁界Ｈｚが放射される。従って、ループアンテナ装置１から発生する磁界成分は、Ｈｘ，Ｈｙ，Ｈｚ方向の異なる３軸成分となる。また、第１コイル３のｘ−ｙ平面上に投影した面積と、ｘ−ｚ平面上に投影した面積との比を決める第１コイル３の屈曲位置によって、磁界ＨｘとＨｚの発生度合いが調節される。
【００３６】
図６は、図４のｘ−ｙ平面の電界成分の放射指向性を示したグラフであり、前述した第１実施形態の図１のグラフと同じ内容の特性を表示している。このときも、電界強度の値が大きいほどアンテナ特性の高い装置として使用でき、特に電界強度の平均値が高いことが望ましい。この図では、白丸を結んだ実線が磁界成分を２軸のみ有する従来のループアンテナ装置であり、黒丸を結んだ実線が第１コイルを屈曲させたループアンテナ装置１である。この場合、−４５〜０度付近の電界強度が大幅に向上している。このループアンテナ装置１をキーレスエントリー装置に使用するとき、操作者は主に角度０度付近でキー操作を行う場合が多いが、０度付近の電界強度は向上している。よって、このループアンテナ装置１を使用すればアンテナ特性の良い装置とすることが可能となる。
【００３７】
この構成においても前記第１実施形態に記載した次の各効果、（１）３軸方向の磁界成分を放射することで高いアンテナ特性を得ることができる、（３）ループアンテナ装置１の小型化及び組付部の薄型化、が同様に得られる他に、次の効果が得られる。
【００３８】
（４）２平面を通るループを描くように第１コイル３を屈曲させることによって２つのアンテナＡＮＴ１，２のみで、互いに異なる３軸方向の磁界成分を放射できる。従って、部品点数が増加することなく、簡単な構造で、かつ大型化することなく３軸成分の磁界を放射可能なループアンテナ装置１を提供できる。
【００３９】
（第３実施形態）
次に、第３実施形態を図７〜図１０に従って説明する。この実施形態では、ループアンテナ装置をドアやドア部品を構成する導体板の近傍位置に配置する場合に、磁界損失を少なくするとともに、見かけ上、磁界の３軸成分を放射させるようにしたものである。前記第１及び第２実施形態と同一構成部分に関しては同一符号を付して、詳しい説明は省略する。
【００４０】
図７及び図８に示すように、ループアンテナ装置１は、第１アンテナＡＮＴ１と第２アンテナＡＮＴ２を備えている。第１アンテナＡＮＴ１は、フェライトコア２の外周に配置された第１コイル３と、その第１コイル３の一端がフェライトコア２に所定巻数だけ巻回されたリンクコイル４とを有している。第１コイル３とリンクコイル４の巻回方向は、互いに直交している。また、第２アンテナＡＮＴ２は、リンクコイル４と同じ巻回方向にフェライトコア２に巻回された第２コイル６を有している。
【００４１】
ループアンテナ装置１は、車両組付け時の組付部の薄型化を図るため、ループアンテナ装置１の一側面（厚さ方向と直交する面）がドアまたはドア部品を構成する導体板３０（図７参照）と向き合うように組付けられる。ループアンテナ装置１は、その下辺を軸として導体板３０の導体面３０ａに対して所定角度（本例では２５〜３０度の範囲内の値）だけ傾斜した姿勢で配置されている。また、ループアンテナ装置１は、その下辺と導体板３０との間を僅かな隙間（例えば約３mm）開けて配置されている。なお、ループアンテナ装置１の傾斜角度は２５〜３０度の範囲内の値に限定されず、所望するアンテナ特性に応じて適宜設定できる。
【００４２】
図８（ａ）は各コイルの巻き方の説明図であり、（ｂ）はループアンテナ装置の等価回路である。図８（ｂ）において、Ｌ１１，Ｌ１２，Ｌ２は、コイル３，４，６のインダクタンスを示している。
【００４３】
図８（ａ）に示すように、第１アンテナＡＮＴ１の第１コイル３とリンクコイル４の間には共振容量Ｃ１と電源ＯＳが直列接続され、第１アンテナＡＮＴ１は直列共振回路を形成している。また、第２アンテナＡＮＴ２には共振容量Ｃ２が接続され、第２アンテナＡＮＴ２は並列共振回路を形成している。共振容量Ｃ１は使用周波数ｆで直列共振する値に設定され、共振容量Ｃ２も使用周波数ｆで並列共振する値に設定される。また、第１コイル３と第２コイル６の結合度は、リンクコイル４の巻数で自由に設定可能である。
【００４４】
次に、本実施形態のループアンテナ装置１の作用について説明する。
図９は、電源ＯＳの発振時にｙ軸とｚ軸に放射される磁界成分を図示したものである。第１コイル３が導体面３０ａに対して傾斜しているので、第１コイル３が放射する磁界Ｈｙに起因し、これと逆向きに導体板３０から放射される磁界−Ｈｙが小さくなる。このため、ｙ軸方向に損失の少ない比較的強い磁界Ｈｙが得られる。また、第１コイル３が導体面３０ａに対して傾斜していることで、第１コイル３が放射する磁界Ｈａ（図９における二点鎖線）はｙ軸方向とｚ軸方向の成分を持つので、見かけ上はｙ軸方向の磁界Ｈｙとｚ軸方向の磁界Ｈｚが放射されたことに等しい。
【００４５】
従って、発振時には、第２コイル６とリンクコイル４によって磁界Ｈｘ（図７参照）が放射され、傾斜した第１コイル３によって導体面３０ａと直交する向きの磁界Ｈｙと、磁界Ｈｙと直交する向きの磁界Ｈｚとが放射される。従って、ループアンテナ装置１を導体面３０ａに対して傾斜させて配置することで、ループアンテナ装置１から発生する磁界成分は、Ｈｘ，Ｈｙ，Ｈｚ方向の異なる３軸成分となる。よって、ループアンテナ装置１のアンテナ特性が向上する。
【００４６】
図１０は、図７のｘｙ平面の電界成分の放射指向性を示したグラフであり、前述した第１実施形態の図１のグラフと同じ内容の特性を表示している。このときも、電界強度の値が大きいほどアンテナ特性の高い装置として使用でき、特に電界強度の平均値が高いことが望ましい。この図では、白丸を結んだ実線が第１コイル３のループ平面と導体面３０ａとを平行に配置したときのループアンテナ装置であり、黒丸を結んだ実線が第１コイル３を導体面３０ａに対して所定角度傾斜させた本例のループアンテナ装置１である。この場合も、−４５〜１５度付近の電界強度が大幅に向上しており、さらに電界強度全体の平均値も増加している。従って、このループアンテナ装置１をキーレスエントリー装置に使用する場合、アンテナ特性の高い装置とすることができる。
【００４７】
この構成においても前記第１実施形態に記載した次の各効果、（１）３軸方向の磁界成分を放射することで高い高いアンテナ特性を得ることができる、（３）ループアンテナ装置１の小型化及び組付部の薄型化、が同様に得られる他に、次の効果が得られる。
【００４８】
（５）第１アンテナＡＮＴ１と第２アンテナＡＮＴ２を有し２軸方向の磁界を放射するループアンテナ装置１を導体面３０ａに対して所定角度だけ傾斜させることによって、見かけ上３軸の磁界成分を放射させることができる。よって、例えばこのループアンテナ装置１をキーレスエントリー装置に採用した場合、通信エリア内の受信器がどの方向に位置しても受信ミスが起き難い。また、簡単かつ低コストでループアンテナ装置を３軸対応とすることができる。
【００４９】
（６）ループアンテナ装置１を傾斜させて導体板３０から放射される磁界−Ｈｙを低減させているので、第１コイル３から損失の少ない比較的強い磁界Ｈｙを放射させることできる。その結果、より高いアンテナ特性を有するループアンテナ装置１とすることができる。
【００５０】
（７）従来は、コイル通電時に導体板から放射される磁界−Ｈｙを低減させるために、ループアンテナ装置を導体板に対して広めの間隔を開けて配置する必要があった。ところが、本例ではループアンテナ装置１を傾斜させることでこの磁界−Ｈｙが低減されるので、導体板３０からの離間距離を狭くでき、ループアンテナ装置１の組付け部分（ドアハンドル等）を薄型にできる。
【００５１】
なお、実施形態は前記に限定されるものではなく、例えば、次のように変更してもよい。
・  前記第１実施形態において、第３コイル７（銅箔リボン８）をフェライトコア２の表面に第２コイル６の軸心から外れた位置に配置して電磁結合させる構成に限定されない。例えば、第３コイル７は、フェライトコア２に対し第１アンテナＡＮＴ１のリンクコイル４と同方向に巻かれたリンクコイルを介して第１コイル６または第２コイル６の一方と電磁結合される構造であってもよい。
【００５２】
・  前記第１実施形態において、第３コイル７に共振容量（コンデンサ）を接続して並列共振回路としてもよい。
・  前記第１実施形態において、第１コイル３、第２コイル６、第３コイル７（銅箔リボン８）の巻回方向は互いに直交する向きに限らず、その巻回方向が互いに異なる向き（例えば４５度以上異なる向き）であればよい。
【００５３】
・  前記第２実施形態において、第１コイル３がループによって作る２平面のなす角度は略９０度に限らず、磁界が３軸方向に放射可能である角度（例えば、４５度以上）であれば何度でもよい。
【００５４】
・  前記各実施形態において、本例ではループアンテナ装置１は送信用としたが、電源ＯＳに代えて第１コイル３に流れる電流（電圧）を検出する検出器（受信源）を接続して受信用としてもよい。また、発振器（発信源）及び検出器（受信源）の両方の機能を持たせた機器を接続してループアンテナ装置１を送受信用に使用してもよい。
【００５５】
・  前記第１実施形態において、発振器ＯＳは第１アンテナＡＮＴ１に接続することに代えて第２アンテナＡＮＴ２または第３アンテナＡＮＴ３に接続してもよい。また、前記第２及び第３実施形態において、発振器ＯＳは第１アンテナＡＮＴ１に代えて第２アンテナＡＮＴ２に接続してもよい。
【００５６】
・  前記各実施形態において、ループアンテナ装置１の取付位置はドアハンドル内部に限定されない。例えばドアを構成するドア板の内部であってもよい。
・  前記各実施形態において、ループアンテナ装置１はキーレスエントリー装置に採用されることに限定されず、例えば、遠隔操作が必要な装置に本例のループアンテナ装置１を採用してもよい。さらに、自動車等の車両にループアンテナ装置１が採用されることに限定されず、電波によって遠隔操作が必要なものを対象として適用できる。
【００５７】
前記実施形態及び別例から把握できる技術的思想について、以下にその効果とともに記載する。
（１）前記第３のアンテナコイルは、前記第２コイルの内側に巻回されて前記コアの表面に直接巻回された金属箔（銅箔リボン８）である。この場合、小型のループアンテナ装置を提供できる。
【００５８】
（２）前記第１のアンテナコイルが形成する２平面は、略直交する。この場合、３軸方向の高い磁界放射性が得られるので、特に高いアンテナ特性を得ることができる。
【００５９】
（３）前記所定角度は２５〜３０度である。この場合も、３軸方向の高い磁界放射性が得られるので、特に高いアンテナ特性を得ることができる。
【００６０】
（４）前記第１のアンテナコイルは直列共振回路または並列共振回路を形成し、前記第２のアンテナコイル及び第３のアンテナコイルのうち少なくとも一方は並列共振回路を形成している。
【００６１】
【発明の効果】
以上詳述したように各請求項に記載の発明によれば、送受信する磁界成分はその向きが互いに異なるとともに電磁結合された３つのアンテナコイルによって異なる３軸方向成分となるので、ループアンテナ装置のアンテナ特性を比較的簡単な構造で、かつさほど大型化することなく向上できる。
【図面の簡単な説明】
【図１】  第１実施形態のループアンテナ装置の斜視図。
【図２】  （ａ）はコイルの巻き方の説明図、（ｂ）はループアンテナ装置の等価回路である。
【図３】  角度に対する電界強度を示すグラフ。
【図４】  第２実施形態のループアンテナ装置の斜視図。
【図５】  （ａ）はコイルの巻き方の説明図、（ｂ）はループアンテナ装置の等価回路である。
【図６】  角度に対する電界強度を示すグラフ。
【図７】  第３実施形態のループアンテナ装置の斜視図。
【図８】  （ａ）はコイルの巻き方の説明図、（ｂ）はループアンテナ装置の等価回路である。
【図９】  ｙ軸及びｚ軸方向に放射される磁界成分を示す説明図。
【図１０】  角度に対する電界強度を示すグラフ。
【図１１】  従来における２軸方向の磁界成分を放射するループアンテナ装置を示し、（ａ）はコイルの巻き方の説明図、（ｂ）はループアンテナ装置の等価回路である。
【符号の説明】
１…ループアンテナ装置、２…コアとしてのフェライトコア、３…第１のアンテナコイル（第１コイル）、４…リンクコイル、６…第２のアンテナコイル（第２コイル）、７…第３のアンテナコイル（第３コイル）、３０ａ…導体面、ＯＳ…発信源としての電源。
【図１】
0003941323.tif 000002
【図２】
0003941323.tif 000003
【図３】
0003941323.tif 000004
【図４】
0003941323.tif 000005
【図５】
0003941323.tif 000006
【図６】
0003941323.tif 000007
【図７】
0003941323.tif 000008
【図８】
0003941323.tif 000009
【図９】
0003941323.tif 000010
【図１０】
0003941323.tif 000011
【図１１】
0003941323.tif 000012